(57)【要約】      （修正有）【課題】１つのカレンダーで１年間のごみ収集日程を容易に把握できる住民本位のカレンダーを提供する。【解決手段】カレンダーは平面の紙１枚に印刷されており、最上段にタイトル欄を設け、タイトル欄の下にごみ分別種類名と注釈と分別印を記載した分別区分欄を設け、分別区分欄の下に上段広告欄を有し、上段広告欄の下に１２ヶ月分のカレンダーに分別印を併記する日付表示欄を中央部を空けて設け、その中央部に中央広告欄を有し、前記日付表示欄の下に下段広告欄を設ける。【選択図】図１
0003177175.tif 000002
【実用新案登録請求の範囲】
【請求項１】
平面の紙に印刷した住民向けごみの日カレンダーであって、ごみ分別区分を表示する分別表示欄を上部に設け、前記分別表示欄の下に上段広告欄を有し、前記上段広告欄の下に１年分の日付とごみ分別印を併記する日付表示欄を中央部を空けて設け、その中央部に中央広告欄を設け、前記日付表示欄の下に下段広告欄を表示することを特徴とするごみの日カレンダー。
【考案の詳細な説明】
【技術分野】
【０００１】  この考案は住民向けに使い勝手の良いごみ分別用カレンダーに関する。
【背景技術】
【０００２】  従来市町村等の行政庁において、ごみ収集日程一覧が発行されている。【０００３】  従来このような一覧においては、カレンダー形式にはなっていない。【０００４】  具体的に、秋田市においては、秋田市民便利帳の中に「各地域のごみ収集の日程」と題して各地域に対するごみ区分と曜日の表が記載されており、該当欄に黒丸印がある。全て小文字表記である。
また大仙市においては「ごみ排出の手引き」として、由利本荘市においては「ごみの正しい出し方・分け方」と題して冊子が発行されており、各地域に対するごみ区分の表の中に、該当曜日が記載されている。
【考案が解決しようとする課題】
【０００５】  従来の行政庁から発行されるごみ収集日程一覧は上記のように構成されている。それらはカレンダー形式にはなっていないため、住民が常に手持ちのカレンダーと照合するか、手持ちのカレンダーに各自収集日印を記載する等の工夫が必要であった。
【０００６】  この考案は上記のような問題点を解消するためになされたもので、各地域の一年間の収集日程を容易に把握できるカレンダーを提供することを目的とする。
【０００７】  この考案の目的は、収集日程を明確に表記することで、住民にごみ分別を呼び掛け、地球環境にやさしいカレンダーを提供することである。
【課題を解決するための手段】
【０００８】  この考案にかかるごみの日カレンダーは、タイトル下に分別区分欄を大きく記載し、次に上段広告欄を設け、次に１ヶ月の日付と分別印を併記するカレンダーを１２ヶ月分、中央部を空けて記載し、その中央部に中央広告欄を設け、次に下段広告欄を表示する。
【０００９】  上段の分別区分欄に大きく記載された分別印と同様の印がカレンダーの各日付に記載されており、当該日が何の収集日であるか容易に把握できる。
【００１０】  その結果、従来のように行政庁発行のごみ収集日程一覧と手持ちのカレンダーを照合する等の手間が省け、住民にとって使い易いカレンダーが提供できる。
【００１１】  この考案にかかるカレンダーにおいては、ごみを分別することを広く住民に周知徹底できるという効果がある。
【００１２】  また、カレンダー上段・中央部・下段に記載された広告については、主に各地域における様々な分野の企業・病院様より頂いており、連絡先も記載されているため、住民は電話帳代わりに使用することができる。
例えばどこか体の具合が悪い際には、居住区近隣の該当診療科目の病院をすぐに把握することができる。
【００１３】  また、この考案によれば、複数の地域に対して各ごみの収集日を記載するようにしたため、カレンダーの使用者がどこに住んでいてもこのカレンダーを使用することができ、汎用性の高いカレンダーを提供できる。
【００１４】  好ましくは、印刷はベジタブルインキを用いて行われる。
【００１５】  ベジタブルインキは、石油系溶剤の含有割合を抑え、大豆油やなたね油などの食用油のほかに、非食用の亜麻仁油や桐油などを含めた植物油全般の総称である。枯渇が懸念される化石燃料の代替として使用され、地球環境に対して負荷がより小さくなるカレンダーが提供できる。
【考案の効果】
【００１６】  当カレンダーは当社で独自に考案したものであるが、カレンダーに関する住民からの問い合わせは行政庁にかかることが多く、行政庁にて発行されたものと理解している住民がほとんどのようである。それ程市民生活に浸透しているものと捉えられる。
【００１７】  また、ごみ分別区分が大変分かり易いと住民からのお声も多く頂く。
【図面の簡単な説明】
【図１】  この考案にかかるごみの日カレンダーの全体を示す図である。
【図２】  この考案にかかるごみの日カレンダーの１ヶ月分を示す図である。
【図３】  この考案にかかるごみの日カレンダーの大仙市版におけるごみの正しい出し方（カレンダー裏面記載）を示す図である。
【考案を実施するための形態】
以下この考案の実施の形態を図面を参照して説明する。
【００１８】  図１はこの考案にかかるごみの日カレンダーの全体図を表示したものである。図面の説明のため１０１から１０６まで符号を記載した。
【００１９】  図１紙面の長手方向７分の１最上段はタイトル欄１０１であり、欄内には「ごみの日カレンダー」というタイトルの他、当社で振り分けをした各地区ＮＯ．と各地区名を記載する。このタイトル欄１０１はまた、当該年度を記載し、さらに業務用と区別するために家庭用と表示する。また、ごみ減量を呼び掛ける等の文言を記載する。
【００２０】  図１紙面の長手方向７分の２分別区分欄１０２には、家庭ごみ・金属類・ペットボトル・空きびん缶・古紙等といった分別種類名、それらに合わせた分別印を大きく記載し、それぞれ主にどのようなごみが該当するか、またごみ廃棄時の注意点も記載する。
【００２１】  分別種類名・分別印・分別種類における説明等の記載については、各行政庁発行のごみ収集日程一覧を参照に、または各行政庁の指示により行う。
【００２２】  なお、広告が多い場合にはこの欄にも広告が１つまたは２つ記載される。
【００２３】  次に図１にはそれぞれ紙面の長手方向５分の２に上段広告欄１０３、紙面の長手方向４分の３に中央広告欄１０５、紙面の長手方向１５分の１５最下段に下段広告欄１０６を設ける。図１−１０３および１０５に記載している広告枠は全て１枠のサイズであるが、広告主様の希望により、１．５枠・２枠・３枠等になる場合もある。
【００２４】  最後に図１にカレンダー表示欄１０４を設ける。４月から翌年３月まで、年度で記載する。カレンダーは中央広告欄を空けて１２ヶ月分表示する。中央広告欄を設け、カレンダーと広告を区切らないことにより、住民が地域の広告に目を留めやすくする効果が期待できる。
【００２５】  次に１ヶ月分のカレンダーを拡大表示した図２について説明する。
該当月の数字に隣接して、該当月を英字短縮形にて表示する。これに代わって旧暦の表示でもよい。また併記してもよい。
【００２６】  上記月名表示の右隣に、当月の祝日名と該当日を記載する。また、秋田市山王地区・牛島地区版においては、その地区の広告主様である神社の行事も併せて記載する。
【００２７】  次に曜日を表示し、その下に日付表示部を設ける。
【００２８】  日付表示欄の該当日にごみ分別区分印を表示する。これは図１分別区分欄１０２に記載された分別印と同様のものである。
【００２９】  このカレンダーの日付及び日付表示欄に表示した分別印については、当社にて制作・確認後、各行政庁に依頼し校正を行ってもらっている。年末年始の収集日程表示についても、各行政庁の指示により行う。
【００３０】  最後に大仙市版裏面のみに表示する図３について説明する。
これはごみの正しい出し方と題し、ごみ分別の種類・品名・ごみ排出の際の注意点、特定家庭用機器廃棄物のリサイクル料金、市で収集できないごみ等を、行政庁の指示により詳細に表示する。
【００３１】  本考案は実用新案登録請求の範囲と均等の意味および範囲内でのすべての変更が含まれることが意図される。
【符号の説明】１０１・・・タイトル欄（各地区名含む）、１０２・・・ごみ分別区分欄、１０３・・・上段広告欄、１０４・・・日付表示欄、１０５・・・中央広告欄、１０６・・・下段広告欄。
【図１】
0003177175.tif 000003
【図２】
0003177175.tif 000004
【図３】
0003177175.tif 000005
【手続補正書】
【提出日】平成24年4月10日(2012.4.10)
【手続補正１】
【補正対象書類名】図面
【補正対象項目名】図３
【補正方法】変更
【補正の内容】
【図３】
0003177175.tif 000006